(57)【要約】【課題】  Ｋ色版が多い画像を形成した場合でも、処理液が安定し、形成された画像における色等の安定性を向上できる画像形成装置及び画像形成方法を提供をする。【解決手段】  この画像形成方法は、ハロゲン化銀カラー写真感光材料からなるシート状の記録媒体を画像情報に基づいて露光してから複数の処理槽で順に現像処理することにより記録媒体に画像を形成するものであり、画像情報に基づいてＹＭＣＫの各色版の面積情報を求め、ＹＭＣの各色版の面積情報に応じて複数の処理槽の内の少なくともいずれか１つの処理液の補充量を算出し、算出した補充量に対しＫ色版の面積情報から算出したＫ色版に関する補充量を加えるように制御する。【選択図】  図６
2005321613.tif 000002
【特許請求の範囲】
【請求項１】
ハロゲン化銀カラー写真感光材料からなるシート状の記録媒体を画像情報に基づいて露光してから複数の処理槽で順に現像処理することにより前記記録媒体に画像を形成する画像形成装置であって、
前記画像情報に基づいてＹＭＣＫの各色版の面積情報を求め、
前記ＹＭＣの各色版の面積情報に応じて算出した前記複数の処理槽の内の少なくともいずれか１つの処理液の補充量に対し前記Ｋ色版の面積情報から算出したＫ色版に関する補充量を加えるように制御することを特徴とする画像形成装置。
【請求項２】
前記各処理槽の処理液の補充量は、次の式により算出することを特徴とする請求項１に記載の画像形成装置。
補充量＝[(Ｙ＊α)＋(Ｍ＊β)＋(Ｃ＊γ)＋｛Ｋ＊(α＋β＋γ)｝]＋Ａ
但し、Ｙ：Ｙ色版の面積
Ｍ：Ｍ色版の面積
Ｃ：Ｃ色版の面積
Ｋ：Ｋ色版の面積
α：Ｙ色版に対する規定量
β：Ｍ色版に対する規定量
γ：Ｃ色版に対する規定量
Ａ：記録媒体の面積に対する補充量
【請求項３】
前記複数の処理槽は、現像液を含む現像槽と、定着液を含む定着槽と、安定液を含む安定槽とを少なくとも含み、前記現像液、前記定着液及び前記安定液の少なくともいずれか１つについての前記補充量に前記Ｋ色版に関する補充量を加えることを特徴とする請求項１または２に記載の画像形成装置。
【請求項４】
前記Ｋ色版の面積が所定値以下の場合、前記Ｋ色版に関する補充量を加えないように制御することを特徴とする請求項１，２または３に記載の画像形成装置。
【請求項５】
ハロゲン化銀カラー写真感光材料からなるシート状の記録媒体を画像情報に基づいて露光してから複数の処理槽で順に現像処理することにより前記記録媒体に画像を形成する画像形成方法であって、
前記画像情報に基づいてＹＭＣＫの各色版の面積情報を求めるステップと、
前記ＹＭＣの各色版の面積情報に応じて前記複数の処理槽の内の少なくともいずれか１つの処理液の補充量を算出するステップと、
前記算出した補充量に対し前記Ｋ色版の面積情報から算出したＫ色版に関する補充量を加えるように制御するステップと、を含むことを特徴とする画像形成方法。
【請求項６】
前記各処理槽の処理液の補充量は、次の式により算出することを特徴とする請求項５に記載の画像形成方法。
補充量＝[(Ｙ＊α)＋(Ｍ＊β)＋(Ｃ＊γ)＋｛Ｋ＊(α＋β＋γ)｝]＋Ａ
但し、Ｙ：Ｙ色版の面積
Ｍ：Ｍ色版の面積
Ｃ：Ｃ色版の面積
Ｋ：Ｋ色版の面積
α：Ｙ色版に対する規定量
β：Ｍ色版に対する規定量
γ：Ｃ色版に対する規定量
Ａ：記録媒体の面積に対する補充量
【請求項７】
前記複数の処理槽は、現像液を含む現像槽と、定着液を含む定着槽と、安定液を含む安定槽とを少なくとも含み、前記現像液、前記定着液及び前記安定液の少なくともいずれか１つについての前記補充量に前記Ｋ色版に関する補充量を加えることを特徴とする請求項５または６に記載の画像形成方法。
【請求項８】
前記Ｋ色版の面積が所定値以下の場合、前記Ｋ色版に関する補充量を加えないように制御することを特徴とする請求項５，６または７に記載の画像形成方法。
【発明の詳細な説明】
【技術分野】
【０００１】
本発明は、ハロゲン化銀カラー写真感光材料からなるシート状の記録媒体を画像情報に基づいて露光してから複数の処理槽で順に現像処理することで記録媒体に画像を形成する画像形成装置及び画像形成方法に関する。
【背景技術】
【０００２】
下記特許文献１は、支持体上に少なくとも３種の異なる分光感度のハロゲン化銀乳剤とそれぞれ組み合わせられたイエロー、マゼンタ、シアン画像形成物質とを含有するハロゲン化銀乳剤層を有するハロゲン化銀写真感光材料を、画像のデジタルデータにより露光し現像して面積階調画像を形成する現像処理方法を開示する。この現像処理方法では、デジタルカラープルーフ画像の濃度を安定して得るために、現像液の補充量を露光された画像データ領域の大きさ及び処理する感光材料の面積データから決定している。
【０００３】
しかし、上記現像処理方法では、現像液の補充量を画像データの各色版データの面積等から算出しているが、Ｋ色版だけに限定して現像液の補充量を算出しておらず、イエロー（Ｙ）、マゼンタ（Ｍ）、シアン（Ｃ）の各色版でも補充量の算出方法が一定だったため、黒ベタの多い画像のようにＫ色版が多い画像を現像すると、処理液が安定せずに、画像の色等の安定性が低下してしまう。
【特許文献１】特開２００２−２３３３１号公報
【発明の開示】
【発明が解決しようとする課題】
【０００４】
本発明は、上述のような従来技術の問題に鑑み、Ｋ色版が多い画像を形成した場合でも、処理液が安定し、形成された画像における色等の安定性を向上できる画像形成装置及び画像形成方法を提供することを目的とする。
【課題を解決するための手段】
【０００５】
上記目的を達成するために、本発明による画像形成装置は、ハロゲン化銀カラー写真感光材料からなるシート状の記録媒体を画像情報に基づいて露光してから複数の処理槽で順に現像処理することにより前記記録媒体に画像を形成する画像形成装置であって、前記画像情報に基づいてＹＭＣＫの各色版の面積情報を求め、前記ＹＭＣの各色版の面積情報に応じて算出した前記複数の処理槽の内の少なくともいずれか１つの処理液の補充量に対し前記Ｋ色版の面積情報から算出したＫ色版に関する補充量を加えるように制御することを特徴とする。
【０００６】
この画像形成装置によれば、複数の処理槽の内の少なくともいずれか１つの処理液の補充量に対しＫ色版の面積情報から算出したＫ色版に関する補充量を加えるので、Ｋ色版が多い画像を形成した場合でも、処理液が安定し、形成された画像における色等の安定性を向上できる。
【０００７】
上記画像形成装置において前記各処理槽の処理液の補充量は、次の式（１）により算出することが好ましい。この場合、Ｋ色版に関する補充量は、Ｋ＊(α＋β＋γ)である。
【０００８】
補充量＝[(Ｙ＊α)＋(Ｍ＊β)＋(Ｃ＊γ)＋｛Ｋ＊(α＋β＋γ)｝]＋Ａ    （１）
但し、Ｙ：Ｙ色版の面積
Ｍ：Ｍ色版の面積
Ｃ：Ｃ色版の面積
Ｋ：Ｋ色版の面積
α：Ｙ色版に対する規定量
β：Ｍ色版に対する規定量
γ：Ｃ色版に対する規定量
Ａ：記録媒体の面積に対する補充量
【０００９】
また、前記複数の処理槽は、現像液を含む現像槽と、定着液を含む定着槽と、安定液を含む安定槽とを少なくとも含み、前記現像液、前記定着液及び前記安定液の少なくともいずれか１つについての前記補充量に前記Ｋ色版に関する補充量を加えることが好ましい。
【００１０】
また、前記Ｋ色版の面積が所定値以下の場合、前記Ｋ色版に関する補充量を加えないように制御することで、Ｋ色版に関し必要量以上の補充を制限できることから、補充液の節約につながり、好ましい。
【００１１】
本発明による画像形成方法は、ハロゲン化銀カラー写真感光材料からなるシート状の記録媒体を画像情報に基づいて露光してから複数の処理槽で順に現像処理することにより前記記録媒体に画像を形成する画像形成方法であって、前記画像情報に基づいてＹＭＣＫの各色版の面積情報を求めるステップと、前記ＹＭＣの各色版の面積情報に応じて前記複数の処理槽の内の少なくともいずれか１つの処理液の補充量を算出するステップと、前記算出した補充量に対し前記Ｋ色版の面積情報から算出したＫ色版に関する補充量を加えるように制御するステップと、を含むことを特徴とする。
【００１２】
この画像形成方法によれば、複数の処理槽の内の少なくともいずれか１つの処理液の補充量に対しＫ色版の面積情報から算出したＫ色版に関する補充量を加えるので、Ｋ色版が多い画像を形成した場合でも、処理液が安定し、形成された画像における色等の安定性を向上できる。
【００１３】
上記画像形成方法において前記各処理槽の処理液の補充量は、上述の式（１）により算出することが好ましい。
【００１４】
また、前記複数の処理槽は、現像液を含む現像槽と、定着液を含む定着槽と、安定液を含む安定槽とを少なくとも含み、前記現像液、前記定着液及び前記安定液の少なくともいずれか１つについての前記補充量に前記Ｋ色版に関する補充量を加えることが好ましい。
【００１５】
また、前記Ｋ色版の面積が所定値以下の場合、前記Ｋ色版に関する補充量を加えないように制御することで、Ｋ色版に関し必要量以上の補充を制限できることから、補充液の節約につながり、好ましい。
【発明の効果】
【００１６】
本発明の画像形成装置及び画像形成方法によれば、例えば黒ベタのようなＫ色版が多い画像を形成した場合でも、処理液が安定し、形成された画像における色等の安定性を向上できる。
【発明を実施するための最良の形態】
【００１７】
以下、本発明を実施するための最良の形態について図面を用いて説明する。図１は本実施の形態による画像形成装置の内部を正面側から見た図である。図２は図１の画像形成装置の現像ユニットをより具体的に示す要部正面図である。図３は図２の現像ユニットの上部を概略的に示す要部上面図である。
【００１８】
図１に示すように、画像形成装置１は、ハロゲン化銀カラー写真感光材料からなる記録媒体としての感光紙に露光し画像を形成する露光ユニット１１と、露光された感光紙を現像処理を行う現像ユニット２１と、を備える。
【００１９】
露光ユニット１１は、内部にロール状に巻かれたシート状の感光紙を収納した専用のカートリッジ１３を装填し収容する装填部１２，１２’と、装填部１２，１２’に装填されたカートリッジ１３から感光紙を給送する給送部１４と、給送部１４から給送された感光紙を外周面に真空吸引し保持しながら主走査のために回転方向Ｒに回転するドラム１８と、ドラム１８上の感光紙に対し画像データに基づいてＬＥＤ光等の光ビームを露光する光学ユニット１６と、光学ユニット１６を副走査のために副走査方向（図１の紙面垂直方向）に搬送する副走査部１７と、画像形成後のドラム上の感光紙を剥離する剥離部材１８ａと、剥離された感光紙をガイドするガイド部１５と、を備える。
【００２０】
図１のように、現像ユニット２１は、露光後の感光紙の現像処理を行うために複数の処理槽として、上流側から順に、現像を行う現像槽２３と、定着処理を行う定着槽２４と、安定処理を行う第１安定槽２５ａと、第２安定槽２５ｂと、第３安定槽２５ｃと、を備える。現像ユニット２１は、更に、第３安定槽２５ｃから送られた感光紙の乾燥処理を行う乾燥部２６と、乾燥された感光紙を搬送ローラ対２６ａで外部に排出する排出部２７と、排出され出力した感光紙を集積する集積部２８と、を備える。
【００２１】
現像ユニット２１について図２，図３，図５を参照して更に説明する。図５は図２の現像ユニットの配管系を示す図である。図２のように、現像槽２３は、入口３０から送られてきた感光紙を現像するための現像液が満たされており、感光紙を現像液中で複数のローラ２３ａにより図の右、左、下、上の順に搬送しながら現像し、定着槽２４へと送る。また、図５のように、現像槽２３には現像温調タンク２３ｄがポンプＰ１により循環するように接続され、現像温調タンク２３ｄ内には、現像ヒータ２３ｂ及び現像温度センサ２３ｃが配置され、現像温度を調整できるようになっている。
【００２２】
定着槽２４は、現像槽２３から送られてきた感光紙を定着処理するための定着液が満たされており、感光紙を定着液中で複数のローラ２４ａにより図の上下方向に搬送しながら定着処理を行い、第１安定槽２５ａへと送る。また、図５のように、定着槽２４には定着温調タンク２４ｄがポンプＰ２により循環するように接続され、定着温調タンク２４ｄ内には、定着ヒータ２４ｂ及び定着温度センサ２４ｃが配置され、定着温度を調整できるようになっている。
【００２３】
第１安定槽２５ａは、定着槽２４から送られてきた感光紙を安定処理するための第１安定液が満たされており、感光紙を安定液中で複数のローラ２５ｄにより図の上下方向に搬送しながら安定処理を行い、次の第２安定槽２５ｂに送る。同様にして、第２安定槽２５ｂ及び第３安定槽２５ｃは、感光紙を安定処理するための第２，第３安定液が満たされており、感光紙を各安定液中で複数のローラ２５ｅ、２５ｆにより図の上下方向に搬送しながら安定処理を行い、乾燥部２６へと送る。
【００２４】
また、図５のように、第２安定槽２５ｂ内の第２安定液はポンプＰ４により現像温調タンク２３ｄ内を配管２５ｈで循環することで現像温調タンク２３ｄの余熱で随伴温調されるようになっている。また、第１安定槽２５ａ及び第３安定槽２５ｃ内の第１，第３安定液はポンプＰ３、Ｐ５により循環するようになっている。また、各処理槽２３，２４，２５ａ、２５ｂ、２５ｃ内の各処理液は、廃液バルブＶ１，Ｖ２，Ｖ３，Ｖ４，Ｖ５を開くことで各廃液タンク３７，３８，３９に排出されるようになっている。
【００２５】
なお、第１安定槽２５ａ及び第３安定槽２５ｃ内の第１，第３安定液も現像温調タンク２３ｄ等の余熱で随伴温調されるようにしてもよい。また、第１安定槽２５ａ、第２安定槽２５ｂ及び第３安定槽２５ｃにヒータ及び温度センサを備えた第１，第２及び第３の安定温調タンクをそれぞれ設け、第１，第２，第３安定液を循環させながら各安定液の温度を独立して調整できるように構成してもよい。
【００２６】
また、乾燥部２６は、感光紙を排出部２７へとガイド２６ｄで案内しながら搬送する複数の搬送ローラ対２６ａと、ガイド２６ｄの近傍に配置された温度センサ４８と、ケース２６ｂ内に配置されたヒータ４７（図４）と、を備える。
【００２７】
図２、図５のように、現像ユニット２１は、現像液を貯蔵しポンプＰ６により管３１ａを通して現像槽２３に補充するための現像液タンク３１と、定着液を貯蔵しポンプＰ７により管３２ａを通して定着槽２４に補充するための定着液タンク３２と、第３安定液を貯蔵しポンプＰ１０により管３５ａを通して第３安定槽２５ｃに補充するための第３安定液タンク３５と、水を貯蔵し各ポンプＰ１１，Ｐ１２，Ｐ１３により管３６ａを通して現像槽２３、定着槽２４及び第３安定槽２５ｃにそれぞれ補水するための補水タンク３６と、を下部に備える。
【００２８】
更に、図５のように、第１安定液を貯蔵しポンプＰ８により管３３ａを通して第１安定槽２５ａに補充するための第１安定液タンク３３と、第２安定液を貯蔵しポンプＰ９により管３４ａを通して第２安定槽２５ｂに補充するための第２安定液タンク３４と、を備える。なお、各ポンプＰ６乃至Ｐ１３は、吐出量を制御する定量ポンプから構成することが好ましい。
【００２９】
図３に示すように、現像ユニット２１には、各処理槽２３，２４，２５ａ、２５ｂ、２５ｃ内のローラ２３ａ，２４ａ，２５ｄ，２５ｅ，２５ｆ及び乾燥部２６内のローラ２６ａを回転駆動するための駆動モータ４５が配置され、共通の回転軸４６を介して歯車機構等からなる各回転部２３ｅ，２４ｅ，２５ｉ，２５ｊ，２５ｋ，２６ｅを回転させることで各ローラを回転駆動するようになっている。
【００３０】
なお、図２，図３のように、各処理槽２３，２４，２５ａ、２５ｂ、２５ｃ及び乾燥部２６の上方には感光紙を検出するための反射型の光センサ等から構成された検出部４９ａ，４９ｂ，４９ｃ，４９ｄ，４９ｅ，４９ｆがそれぞれ配置されている。
【００３１】
図４は図１の画像形成装置の制御系を示すブロック図である。図４のように、制御部５０は、中央演算処理装置（ＣＰＵ）から構成され、駆動モータ４５を制御するとともに、乾燥温度センサ４８の検出温度に基づいて乾燥ヒータ４７を制御し乾燥温度を調整し、同様に、各処理槽において各センサ２３ｃ，２４ｃの検出温度に基づいて各ヒータ２３ｂ，２４ｂを制御し、現像温度及び定着温度を調整する。
【００３２】
また、制御部５０は、外部から画像形成装置１に入力した画像データに基づいて感光紙のサイズを考慮してＹＭＣＫの各色版の面積を算出する面積算出部５１を有し、面積算出部５１で算出した各色版の面積に基づいてポンプＰ６，Ｐ７，Ｐ８，Ｐ９，Ｐ１０をそれぞれ制御することで各タンク３１〜３５から各補充液を定量して各槽２３，２４，２５ａ，２５ｂ，２５ｃに補充する。また、必要に応じてポンプＰ１１〜Ｐ１３を制御して補水タンク３６から水を各槽に補充する。
【００３３】
現像液タンク３１、定着液タンク３２、第１〜第３安定液タンク３３，３４，３５から現像槽２３、定着槽２４、第１〜第３安定槽２５ａ、２５ｂ、２５ｃに対し補充される各補充液の補充量は、下記の式（１）により求めることができる。
【００３４】
補充量＝[(Ｙ＊α)＋(Ｍ＊β)＋(Ｃ＊γ)＋｛Ｋ＊(α＋β＋γ)｝]＋Ａ    （１）
但し、Ｙ：Ｙ色版の面積
Ｍ：Ｍ色版の面積
Ｃ：Ｃ色版の面積
Ｋ：Ｋ色版の面積
α：Ｙ色版に対する規定量
β：Ｍ色版に対する規定量
γ：Ｃ色版に対する規定量
Ａ：感光紙の面積に対する補充量
【００３５】
上記式（１）における規定量α、β、γ及び補充量Ａは、現像液、定着液、第１安定液、第２安定液及び第３安定液毎にそれぞれ設定されており、各液毎に求めた各補充量で各補充液がポンプＰ６乃至Ｐ１０を制御することで現像槽２３、定着槽２４、第１〜第３安定槽２５ａ、２５ｂ、２５ｃに補充される。
【００３６】
また、制御部５０は、面積算出部５１で算出したＫ色版の面積が所定値以下であるときは、上記式（１）中のＫ＊(α＋β＋γ)の項に相当するＫ色版に関する補充量を零とするように制御する。この所定値は各液毎に設定することができる。
【００３７】
次に、図１乃至図５の画像形成装置１の動作を図６のフローチャートを参照して説明する。まず、図１の画像形成装置１に対し外部から、例えばＹＭＣＫに関する２値の網点画像データが入力すると（Ｓ０１）、その画像データに基づいて制御部５０はＹＭＣＫの各色版の面積を面積算出部５１で算出する（Ｓ０２）。  一方、露光ユニット１１において、装填部１２または１２’のカートリッジ１３から給紙ローラ４０，４１で感光紙を給紙し、カッタ４０ａ、４１ａで感光紙を所定の長さに切断の上、給送部１４を通してドラム１８に給送し、感光紙をドラム１８の外周面に真空吸引し保持し、光学ユニット１６からレーザ光をドラム１８上の感光紙に対し露光する（Ｓ０３）。この露光時にドラム１８を回転方向Ｒに回転し主走査し、光学ユニット１６を副走査部１７で副走査することで、上記画像データに基づいて感光紙に画像形成を行う。画像形成後、剥離部材１８ａがドラム１８に接近し感光紙をドラム１８から剥離してからガイド部１５を通して感光紙を出口１９に導く。
【００３８】
次に、現像ユニット２１に入口３０から内部に導かれた露光後の感光紙を搬送し、感光紙を現像槽２３で現像し、定着槽２４で定着処理し、安定槽２５ａ〜２５ｃで各安定処理をする（Ｓ０４）。次に、現像処理された感光紙を乾燥部２６で乾燥させ、排出部２７から排出し、出力した感光紙を集積部２８に集積する（Ｓ０５）。上述のようにして、上記画像データに基づく感光紙に対する画像形成が終了する。
【００３９】
次に、上記ステップＳ０２で上記画像データから算出したＫ色版の面積が所定値を超えているか否かを判断し（Ｓ０６）、所定値を超えている場合は、Ｋ色版に関する補充量（上記式（１）中のＫ＊(α＋β＋γ)）を算出するとともに（Ｓ０７）、上記式（１）でＹＭＣの各補充量を算出する（Ｓ０８）。また、Ｋ色版の面積が所定値以下の場合は、Ｋ色版に関する補充量を零とする（Ｓ０９）。
【００４０】
以上のようにして、上記式（１）で算出された補充量で補充液を補充する（Ｓ１０）。このようにして、上記画像データによる画像形成で消費した各処理液を補充できる。次に、次の画像データが入力した場合は（Ｓ１１）、ステップＳ０１に戻り同様の工程を繰り返す。なお、上記ステップＳ０６乃至Ｓ１０は、現像液、定着液、第１安定液、第２安定液及び第３安定液の各液毎に実行される。
【００４１】
以上のように、本実施の形態の画像形成装置によれば、現像槽２３、定着槽２４、第１〜第３安定槽２５ａ、２５ｂ、２５ｃにおける現像液、定着液、第１安定液、第２安定液、第３安定液の各処理液の各補充量に対しＫ色版の面積情報から算出したＫ色版に関する補充量を加えるので、例えば黒ベタのようなＫ色版が多い画像を形成した場合でも、各処理液が安定し、形成された画像における色等の安定性を向上できる。
【００４２】
また、Ｋ色版の面積が所定値以下でありＫ色版の少ない画像を形成した場合は、Ｋ色版に関する補充量を零とし加えないので、Ｋ色版に関し必要量以上の補充を制限でき、補充液を節約することができる。
【００４３】
以上のように本発明を実施の形態により説明したが、本発明はこれらに限定されるものではなく、本発明の技術的思想の範囲内で各種の変形が可能である。例えば、本実施の形態では、現像液、定着液、第１安定液、第２安定液、第３安定液の各処理液の各補充量に対しＫ色版の面積から算出したＫ色版に関する補充量を加えたが、本発明はこれに限定されずに、各処理液の少なくとも１つについてＫ色版に関する補充を行うようにしてよく、例えば、現像液、定着液、第３安定液についてＫ色版の面積から算出したＫ色版に関する補充量をそれぞれ加えるように制御するようにしてもよい。
【図面の簡単な説明】
【００４４】
【図１】本実施の形態による画像形成装置の内部を正面側から見た図である。
【図２】図１の画像形成装置の現像ユニットをより具体的に示す要部正面図である。
【図３】図２の現像ユニットの上部を概略的に示す要部上面図である。
【図４】図１の画像形成装置の制御系を示すブロック図である。
【図５】図２の現像ユニットの配管系を示す図である。
【図６】図１乃至図５の画像形成装置の動作を説明するためのフローチャートである。
【符号の説明】
【００４５】
１ 画像形成装置
１１ 露光ユニット
２１ 現像ユニット
２３ 現像槽（処理槽）
２４ 定着槽（処理槽）
２５ａ 第１安定槽（処理槽）
２５ｂ 第２安定槽（処理槽）
２５ｃ 第３安定槽（処理槽）
３１ 現像液タンク
３２ 定着液タンク
３３ 第１安定液タンク
３４ 第２安定液タンク
３５ 第３安定液タンク
５０ 制御部
５１ 面積算出部
Ｐ６，Ｐ７，Ｐ８，Ｐ９，Ｐ１０ ポンプ
【図１】
2005321613.tif 000003
【図２】
2005321613.tif 000004
【図３】
2005321613.tif 000005
【図４】
2005321613.tif 000006
【図５】
2005321613.tif 000007
【図６】
2005321613.tif 000008